(57)【要約】【課題】  大掛かりな設置工事を要することなく、設備に要するコストを低減でき、低減されたコストで有効な空気清浄を行うことができる遊技機パーラーにおける空気清浄システムを提供する。【解決手段】遊技機の前面下部に設けられたテーブル上に設置された灰皿の側方近傍であって上記遊技機に隣接する他の遊技機との間において、上記テーブルに空気清浄機が夫々固定される遊技機パーラーの空気清浄システムであって、当該空気清浄機がタバコの煙を吸引してフィルターを介して清浄化し、清浄化された空気を噴出させると共に、上記灰皿を挟んで当該遊技機の幅方向他端部に配置されている空気清浄機も作動して清浄化された空気を噴出することにより、当該遊技機と隣接する他の遊技機との間に清浄化された空気のエアーカーテンを形成する。【選択図】  図４
2008178663.tif 000002
【特許請求の範囲】
【請求項１】
遊技機の前面下部に設けられたテーブル上に設置された灰皿の側方近傍であって上記遊技機に隣接する他の遊技機との間において、上記テーブルに空気清浄機が夫々固定される遊技機パーラーの空気清浄システムであって、
当該空気清浄機がタバコの煙を吸引してフィルターを介して清浄化し、清浄化された空気を噴出させると共に、上記灰皿を挟んで当該遊技機の幅方向他端部に配置されている空気清浄機も作動して清浄化された空気を噴出することにより、当該遊技機と隣接する他の遊技機との間に清浄化された空気のエアーカーテンを形成することを特徴とする遊技機パーラーの空気清浄システム。
【請求項２】
上記空気清浄機は、タバコの煙を吸入して排出しうる空気通路と、上記空気通路の始端部に設けられタバコの煙を清浄化するフィルターと、上記空気通路の終端部に設けられ上記フィルターにより清浄化された空気を排出しうる空気排出口と、上記空気通路内に設けられた吸引ファンと、上記吸引ファンを駆動する駆動部と、上記駆動部の作動を制御する制御部と、当該遊技機における遊技者の喫煙状態を検知した場合には、上記制御部へ検知信号を送るセンサーとを有することを特徴とする請求項１記載の遊技機パーラーの空気清浄システム。
【請求項３】
上記センサーは、上記灰皿へのタバコの接近を検知して、当該
空気清浄機の制御部、及び上記灰皿を挟んで当該遊技機の幅方向他端部に配置されている空気清浄機の制御部へ検知信号を送るように構成されていることを特徴とする請求項２記載の遊技機パーラーの空気清浄システム。
【請求項４】
上記空気清浄機は、所定幅の板状に形成され、遊技者方向へ向かって次第に下降する傾斜した上面部を有する空気清浄機本体と、上記空気清浄機本体の端部に、上記空気清浄機本体に対して回動可能に設けられ、空気清浄機本体を上記テーブルに対して着脱可能に固定する固定用アームとを有し、上記空気清浄機本体は、上記テーブルの幅方向の略全域に亘って配置されていることを特徴とする請求項２又は３記載の遊技機パーラーの空気清浄システム。
【請求項５】
上記空気排出口は、上記空気清浄機本体の上記上面部において長さ方向に沿って複数配置され、遊技機盤面に沿う方向から遊技機の前方方向に至るまでの間に清浄化された空気を噴出しうるように複数個配置されていることを特徴とする請求項４記載の遊技機パーラーの空気清浄システム。
【請求項６】
上記複数の空気排出口は、遊技機の盤面に近い部位に開設されている空気排出口から上記盤面から離間した部位に開設された空気排出口になるに従って開口角度が小さくなるように形成されていることを特徴とする請求項５記載の遊技機パーラーの空気清浄システム。
【請求項７】
上記固定用アームは、弾性素材により形成されていることを特徴とする請求項４記載の遊技機パーラーの空気清浄システム。
【請求項８】
隣接する遊技機との間に空気清浄機を配設して、遊技機の間にエアーカーテンを形成する遊技機パーラーの空気清浄システムであって、
上記空気清浄機は、遊技機の間において遊技機の高さ方向に沿って設けられる柱状のスペーサ部材の下部に設けられていることを特徴とする遊技機パーラーの空気清浄システム。
【請求項９】
上記空気清浄機は、上記スペーサ部材の裏面側に配置される空気吸引部と、上記スペーサ部材の表面部に配置される空気排出部とを備え、
上記空気吸引部は、パーラー内の空気を吸引して上記スペーサ部材表面側へ排出しうるファンと、上記ファンを駆動する駆動部とを有することを特徴とする請求項８記載の遊技機パーラーの空気清浄システム。
【請求項１０】
上記空気排出部内には、上記ファンにより供給される空気を上記スペーサ部材の高さ方向に沿って遊技機の前面部に展張し、隣接する遊技機との間にエアーカーテンを形成しうるフィンが設けられていることを特徴とする請求項９記載の遊技機パーラーの空気清浄システム。
【請求項１１】
上記空気排出部には、上下方向に沿って細幅の空気排出口が開設されると共に、上記フィンは、高さ方向に沿って複数設けられ、上方のフィンに至るに従って、より上方へ空気を排出しうる角度に形成されていることを特徴とする請求項１０記載の遊技機パーラーの空気清浄システム。
【発明の詳細な説明】
【技術分野】
【０００１】
本発明は、遊技機パーラーの空気清浄システムに係り、特に、夫々の遊技機と隣接する他の遊技機との間に清浄化された空気のエアーカーテンを形成する遊技機パーラーの空気清浄システムに関する。
【背景技術】
【０００２】
従来より、パチンコ機等の遊技機のパーラー内においては、愛煙家の遊技者は遊技中に喫煙することから、嫌煙者の遊技者は愛煙家の遊技者の隣で遊技する場合には、タバコの煙を我慢しながら遊技せざるをえなかった。
【発明の開示】
【発明が解決しようとする課題】
【０００３】
従って、このような遊技機のパーラーにおける遊技中の愛煙家のタバコの煙を清浄化するための様々な技術が提案されている（特許文献１〜４参照）。
例えば、特許第２７７５０８５号に開示された発明は、遊技機パーラーに多数設けられた遊技台同士の間において、テーブル等に空気噴出し口を設けると共に、遊技台の上部に夫々空気吸引口を設け、さらに、上記複数の空気吸引口から吸い込んだ空気を誘導する導管を設け、全ての遊技機の上部に設けられた空気吸引口から吸引しうる吸引ファンを設けて、上記空気噴出し口から吹き出した空気を上記空気吸引部において吸引することにより、空気噴出し口と空気吸引口との間にエアーカーテンを形成し、空気吸引口において吸い込んだ空気を別途設けられた空気清浄機により空気を清浄化する空気清浄装置が開示されている。
【０００４】
しかしながら、このような従来の技術にあっては、遊技機パーラーの全ての遊技機のテーブル等に上記空気噴出し口を設けると共に、遊技機の上部に空気吸引口を開設し、島内部又はパーラーの天井部、もしくは天井の裏側に吸い込んだ空気を導く導管を配設し、さらに、当該パーラーに設置してある全ての遊技機の空気吸引口から吸い込む空気を吸引しうるような大型の吸引ファン及び段駆動装置が必要となる。
従って、このような空気清浄機により当該パーラー内の空気の清浄化を図ろうとした場合には、大掛かりなパーラーの改装工事及び、装置の設置工事が必要となり、設置コストが非常に大きなものとなる、という欠点が存していた。
【０００５】
また、同様に、例えば、特開平９−２９９５８９号に開示された発明にあっては、パーラーの各遊技台内方において島内に個別に空気清浄装置を設け、各遊技台の間に形成される間隙に夫々エアの噴出孔を設けて、清浄化された空気を噴出させるように構成されている。
しかしながら、この発明にあっても、上記同様に、設置には大掛かりな改装工事を要し、設置コストも嵩んでしまう、という欠点がある。
さらに、特許第２７５９６３２号に開示された発明にあっても同様の欠点を有するものである。
【０００６】
【特許文献１】特許第２７７５０８５号
【特許文献２】特開平９−２９９５８９号
【特許文献３】特許第２７５９６３２号  従って、従来より、大掛かりな設置工事を要することなく、設備に要するコストを低減でき、有効な空気清浄を行うことができる遊技機パーラーにおける空気清浄システムが要望されていた。
【０００７】
そこで本発明の技術的課題は、大掛かりな設置工事を要することなく、設備に要するコストを低減でき、低減されたコストで有効な空気清浄を行うことができる遊技機パーラーにおける空気清浄システムを提供することにある。
【課題を解決するための手段】
【０００８】
上記課題を解決するために、請求項１記載の発明にあっては、遊技機の前面下部に設けられたテーブル上に設置された灰皿の側方近傍であって上記遊技機に隣接する他の遊技機との間において、上記テーブルに空気清浄機が夫々固定される遊技機パーラーの空気清浄システムであって、当該空気清浄機がタバコの煙を吸引してフィルターを介して清浄化し、清浄化された空気を噴出させると共に、上記灰皿を挟んで当該遊技機の幅方向他端部に配置されている空気清浄機も作動して清浄化された空気を噴出することにより、当該遊技機と隣接する他の遊技機との間に清浄化された空気のエアーカーテンを形成することを特徴とする。
【０００９】
従って、請求項１記載の発明にあっては、ある喫煙者である遊技者が遊技中に喫煙をした場合には、当該遊技機に対応して設けられた灰皿の側方においてテーブル上に配置された空気清浄機が作動して清浄化された空気を噴出させると共に、上記灰皿を挟んで当該遊技機の幅方向他端部に配置されている空気清浄機も同時に作動し、当該遊技機の両側部におけるエアーカーテンを形成することから、タバコの煙を当該遊技機のスペース外に出すことなく、当該遊技機のスペース内において清浄化することができる。
【００１０】
また、請求項２記載の発明にあっては、上記空気清浄機は、タバコの煙を吸入して排出しうる空気通路と、上記空気通路の始端部に設けられタバコの煙を清浄化するフィルターと、上記空気通路の終端部に設けられ上記フィルターにより清浄化された空気を排出しうる空気排出口と、上記空気通路内に設けられた吸引ファンと、上記吸引ファンを駆動する駆動部と、上記駆動部の作動を制御する制御部と、当該遊技機における遊技者の喫煙状態を検知した場合には、上記制御部へ検知信号を送るセンサーとを有することを特徴とする。
【００１１】
従って、請求項２記載の発明にあっては、当該遊技機において喫煙者が喫煙した場合には、上記空気清浄機のセンサーが喫煙状態を感知して内蔵する吸引ファンを作動させる。上記吸引ファンによりタバコの煙は空気清浄機内に吸引されフィルターを通過することにより清浄化され、上記空気通路を介して上記空気排出口から排出される。
【００１２】
請求項３記載の発明にあっては、上記センサーは、上記灰皿へのタバコの接近を検知して、当該空気清浄機の制御部、及び上記灰皿を挟んで当該遊技機の幅方向他端部に配置されている空気清浄機の制御部へ検知信号を送るように構成されていることを特徴とする。
【００１３】
従って、請求項３記載の発明にあっては、当該遊技機の遊技者が、例えば、灰皿へタバコを置くような場合には、上記センサーがタバコの存在を検知して、
当該遊技機の幅方向一端部に配設された空気清浄機の吸引ファン、及び当該遊技機の幅方向他端部に配設された空気清浄機の吸引ファンを作動させる。
【００１４】
請求項４記載の発明にあっては、上記空気清浄機は、所定幅の板状に形成され、遊技者方向へ向かって次第に下降する傾斜した上面部を有する空気清浄機本体と、上記空気清浄機本体の端部に、上記空気清浄機本体に対して回動可能に設けられ、空気清浄機本体を上記テーブルに対して着脱可能に固定する固定用アームとを有し、上記空気清浄機本体は、上記テーブルの幅方向の略全域に亘って配置されていることを特徴とする。
従って、請求項４記載の発明にあっては、上記固定用アームにより適宜、夫々の遊技機のテーブルに配設された灰皿の側方近傍に空気清浄機本体を着脱可能固定することができる。
【００１５】
また、空気清浄機本体は上記固定用アームに対し回動可能に形成されていることから、空気清浄機本体をテーブル上において上下方向に回動させることもできる。
請求項５記載の発明にあっては、上記空気排出口は、上記空気清浄機本体の上記上面部において長さ方向に沿って複数配置され、遊技機盤面に沿う方向から遊技機の前方方向に至るまでの間に清浄化された空気を噴出しうるように複数個配置されていることを特徴とする。
【００１６】
従って、請求項５記載の発明にあっては、上記空気清浄機の空気排出口から排出される清浄化された空気は、当該遊技機の両側部において他の遊技機との間に、遊技機の盤面方向から遊技機の前方方向に至る間のエアーカーテンを形成する。
【００１７】
請求項６記載の発明にあっては、上記複数の空気排出口は、遊技機の盤面に近い部位に開設されている空気排出口から上記盤面から離間した部位に開設された空気排出口になるに従って次第に排出角度が小さくなるように形成されていることを特徴とする。
【００１８】
従って、請求項６記載の発明にあっては、上記遊技機盤面に近い部位に開設された空気排出口は空気の排出角度が大きく形成されていることから、遊技機の盤面に近接した状態で清浄化された空気が排出され、遊技機の盤面から離間した部位に至るに従って、排出角度が小さくなるように構成されていることから、次第に小さな仰角を以って清浄化された空気が排出される。
請求項７記載の発明にあっては、上記固定用アームは、弾性素材により形成されていることを特徴とする。
【００１９】
請求項８記載の発明にあっては、隣接する遊技機との間に空気清浄機を配設して、遊技機の間にエアーカーテンを形成する遊技機パーラーの空気清浄システムであって、上記空気清浄機は、遊技機の間において遊技機の高さ方向に沿って設けられる柱状のスペーサ部材の下部に設けられていることを特徴とする。
請求項9記載の発明にあっては、上記空気清浄機は、上記スペーサ部材の裏面側に配置される空気吸引部と、上記スペーサ部材の表面部に配置される空気排出部とを備え、上記空気吸引部は、パーラー内の空気を吸引して上記スペーサ部材表面側へ排出しうるファンと、上記ファンを駆動する駆動部とを有することを特徴とする。
従って、請求項8及び９記載の発明にあっては、請求項８記載の発明にあっては、エアーカーテンを形成する空気は、互いに隣接する遊技機の間に設けられた柱状のスペーサ部材下部から噴出する。
【００２０】
請求項１０記載の発明にあっては、上記空気排出部内には、上記ファンにより供給される空気を上記スペーサ部材の高さ方向に沿って遊技機の前面部に展張し、隣接する遊技機との間にエアーカーテンを形成しうるフィンが設けられていることを特徴とする。
従って、請求項１０記載の発明にあっては、上記フィンにより排出される空気は、上記スペーサ部材の上下方向に沿って展張されエアーカーテンを形成する。
【００２１】
請求項１１記載の発明にあっては、上記空気排出部には、上下方向に沿って細幅の空気排出口が開設されると共に、上記フィンは、高さ方向に沿って複数設けられ、上方のフィンに至るに従って、より上方へ空気を排出しうる角度に形成されていることを特徴とする。
従って、請求項１１記載の発明にあっては、上記フィンにより排出される空気は遊技機の前面において前方から上方へかけて排出される。
【発明の効果】
【００２２】
請求項１〜５記載の発明にあっては、遊技機の前面下部に設けられたテーブル上に設置された灰皿の側方近傍であって上記遊技機に隣接する他の遊技機との間において、上記テーブルに空気清浄機が夫々固定されるように構成されていることから、大掛かりな設置工事を要することなく、設備に要するコストを低減でき、低減されたコストで有効な空気清浄を行うことができる遊技機パーラーにおける空気清浄システムを提供することができる。
【００２３】
また、請求項１〜５記載の発明にあっては、大規模な設置工事を必要としないことから、既に営業を行っているパーラーにおいても後付けで空気清浄システムを設置することができる。
特に、請求項３記載の発明にあっては、当該遊技機に配設された灰皿の側方近傍に配設された空気清浄機がタバコを検知した場合には、当該空気清浄機及び、当該遊技機の灰皿を挟んで当該遊技機の幅方向端部において配設された空気清浄機が作動することから当該遊技機を包み込むエアーカーテンを形成することができる。
【００２４】
また、特に、請求項６記載の発明にあっては、上記遊技機盤面に近い部位に開設された空気排出口は空気の排出角度が大きく形成されていることから、遊技機の盤面に近接した状態で清浄化された空気が排出され、遊技機の盤面から離間した部位に至るに従って、排出角度が小さくなるように構成されていることから、次第に小さな仰角を以って清浄化された空気が排出されることから、喫煙している遊技者が遊技している遊技機の幅方向両端部において確実にエアーカーテンを形成し、副煙流を他の遊技機において遊技している遊技者に及ぼさせないようにすることができる。
また、請求項７記載の発明にあっては、上記固定用アームは、弾性素材により形成されていることから、遊技者の持ち物等が衝接した場合であっても、外部応力に対して柔軟に対応することができ、使用時における破損の事態を有効に回避することができる。
【００２５】
請求項８、９及び１０記載の発明にあっては、遊技機の間に設けられた柱状のスペーサ下部に設けられた空気清浄機から空気が排出されて、遊技機間において上下方向に沿ってエアーカーテンが形成されることにより、隣接する遊技機の間において空気の流通が遮断されるため、仮に、隣接する遊技機において遊技している遊技者が喫煙者であって、当該遊技機において遊技している遊技者が非喫煙者であった場合であっても、喫煙者が吐き出すタバコの煙、置きタバコの煙及び、パーラー内に漂う復煙流は当該遊技機の空間内において遮断され、隣接する遊技機の空間には侵入することはない。
従って、非喫煙者が喫煙者の隣で遊技した場合であっても、非喫煙者が喫煙者による喫煙により迷惑をこうむることなく、快適に遊技を楽しむことができる。
【００２６】
請求項１１記載の発明にあっては、上記フィンは、高さ方向に沿って複数設けられ、上方のフィンに至るに従って、より上方へ空気を排出しうる角度に形成されていることから、上記フィンにより空気は遊技機の前面から上方へかけて連続して排出され、遊技機の前面水平方向から垂直方向にかけて連続した細幅であって上下方向に広範囲で、遊技機の高さ寸法を大きく越える高さのエアーカーテンを複数形成することができる。
その結果、上記複数のエアーカーテンにより遊技場内において遊技機の左右方向におけるタバコの煙を含む復縁流を確実に遮断することができる。
また、上記フィンによる上方への空気の流れにより遊技場内における副煙流を含む汚れた空気を上方へ移送し、遊技者が遊技場内の汚れた空気を吸わないようにすることができる。
【発明を実施するための最良の形態】
【００２７】
本発明に係る遊技機パーラーの空気清浄システムの実施の形態を図面を参照しながら説明する。
【００２８】
図１及び図２に示すように、本実施の形態に係る遊技機パーラーの空気清浄システム１０にあっては、遊技機１１の前面下部に設けられたテーブル１２上に設置された灰皿１３の側方近傍であって上記遊技機１１に隣接する他の遊技機１４との間において、上記テーブル１２に空気清浄機１５が夫々固定されている。
即ち、上記空気清浄機１５がタバコの煙を吸引してフィルター２１を介して清浄化し、清浄化された空気を噴出させると共に、上記灰皿１３を挟んで当該遊技機１４の幅方向他端部に配置されている空気清浄機１８も作動して清浄化された空気を噴出することにより、当該遊技機１１と隣接する他の遊技機１４との間に清浄化された空気のエアーカーテン１６、１７を形成するように構成されている。
【００２９】
図２に示すように、上記空気清浄機１５，１８は、所定幅の板状に形成され、遊技者方向へ向かって下降する緩やかに傾斜した上面部２２を有する空気清浄機本体２３と、上記空気清浄機本体２３の端部に、上記空気清浄機本体２３に対して回動可能に設けられ、空気清浄機本体２３を上記テーブル１２に対して着脱可能に固定する固定用アーム２４とを有し、上記空気清浄機本体２３は上記テーブル１２の幅方向の略全域に亘って配置されている。
【００３０】
上記空気清浄機本体２３は、所定の厚さ寸法を有し、側面直角三角形状に形成され、端には軸部２７を介して上記固定用アーム２４が設けられ、空気清浄機本体２３は上記固定用アーム２４に対して回動可能に形成されている。
上記固定用アーム２４は、略Ｌ字状に形成され、上記テーブル１２の幅方向前端部側からテーブル１２の厚さ方向に沿ってテーブル１２を挟持して、空気清浄機本体２３をテーブル１２に固定する。
また、上記固定用アーム２４は、弾性素材により形成されており、遊技者の持ち物等  が衝接した場合であっても、外部応力に対して柔軟に対応することができ、使用時における破損の事態を有効に回避することができるように構成されている。
【００３１】
図３及び図４に示すように、上記空気清浄機本体２３は、当該遊技機１１における遊技者の喫煙状態を検知するセンサー１９と、タバコの煙を吸入して排出しうる空気通路２０と、上記空気通路２０の始端部に設けられ、タバコの煙を清浄化するフィルター２１と、上記空気通路２０の終端部に形成され、上記フィルター２１により清浄化された空気を排出しうる空気排出口３３と、上記空気通路２０内に設けられた吸引ファン３４とを有している。
【００３２】
本実施の形態にあっては、上記空気清浄機本体２３は、合成樹脂製のボディ２５と、上記ボディ２５の大径部に配設された空気吸入排出部２６と小径部に形成されたセンサー部２８とを備えている。
上記空気吸入排出部２６には、厚さ方向の内方には、厚さ寸法の小さなシロッコファンからなる吸引ファン３４及び駆動モータ（図示せず）が内蔵され、上記ボディ２５の前面側に形成された開口部２９に配設されたフィルター２１を介して空気を吸引するように構成されている。
【００３３】
上記ボディ２５を構成する一方側ハーフ３５の大径部には上記吸引ファン３４が固定され、上記吸引ファン３４の前面部には開口３０を有するファンプレート３１が固定されている。上記吸引ファン３４の上方には空気流出孔部４０が形成されていると共に、上記ハーフ３５の上端部には、他方側ハーフ３６が接合された場合に形成される空気排出口３３が、長さ方向に沿って５個開設されている。
【００３４】
図３に示すように、上記空気排出口３３は、側面略直角三角形状からなる空気清浄機本体２３の、遊技者方向へ向かって次第に下降する傾斜した上面部２２の上端部から下方へ連続して開口されている。即ち、上記複数の空気排出口３３ａ，３３ｂ，３３ｃ，３３ｄ，３３ｅは、遊技機１１の盤面に近い部位に開設されている空気排出口３３ａから上記盤面から離間した部位に開設された空気排出口３３ｅになるに従って次第に排出角度が小さくなるように形成されている。
【００３５】
そして、各空気排出口３３は細長い長口として形成され、遊技機盤１１の盤面に沿う方向から遊技機１１の前方方向に至るまでの間に清浄化された空気を噴出しうるように形成されている。
上記ハーフ３５の小径部の中央部には、上記センサー１９が固定されている。本実施の形態にあっては、上記センサー１９は赤外線センサーからなり、設置された場合に前方に近接して位置する灰皿への手やタバコの出現を感知し、図示しないマイコンからなる制御部へ検知信号を発しうるように構成されている。
【００３６】
図３に示すように、他方側ハーフ３５の大径部には、上記ファンプレート３１の前面部に配置される正面円形状の空気吸込口３２が形成されている。この空気吸込口３２は所定の深さ寸法を有し、内部にフィルター収納部３７が形成されている。また、上記センサー１９の前面部には開口部３８が形成されている。
上記フィルター収納部３７には、フィルター２１が着脱自在に取り付けられる。このフィルター２１は、本実施の形態にあっては、全体略円盤状に形成され、タバコの煙を清浄化しうるような素材および構造に形成されている。即ち、本実施の形態にあっては、天然ヤシ殻活性炭を混入させた極細繊維により形成されている。上記天然ヤシ殻繊維は、極小細孔によりタバコの煙の吸着力が強く、ニコチン、タール等の有害物質を有効に吸着してタバコの煙を清浄化する点で有効である。
【００３７】
なお、図示しないが、上記センサー１９は電気配線を介して制御部へ接続されており、制御部はセンサー１９からの検知信号を受信した場合には、上記駆動モータへ作動信号を送り吸引ファン３４を回転作動させる。
【００３８】
さらに、本実施の形態にあっては、上記センサー１９は、上記灰皿１３へのタバコ等の接近を検知して、当該遊技機１１の灰皿１３側方に設けられた当該空気清浄機１５の制御部、及び、上記灰皿１３を挟んで当該遊技機１１の幅方向他端部に配置されている空気清浄機１８の制御部へも検知信号を送るように構成されている。
図５に示すように、上記空気清浄機１５は隣接する他の空気清浄機１８等とリード線３９を介して電気的に連携されており、上記センサー１９からの信号は上記リード線３９を介して他の空気清浄機１８の制御部へも送信させる。
【００３９】
即ち、本実施の形態に係る遊技機パーラーの空気清浄システム１０にあっては、各遊技機１１に夫々対応する空気清浄機は相互にリード線３９を介して電気的に接続されており、いずれの空気清浄機のセンサー１９が灰皿１３へのタバコ等の接近を検知した場合には、検知信号を当該空気清浄機の制御部のみならず、上記灰皿１３を介して隣接する他の空気清浄機の制御部へも送信して、同時に他の空気清浄機をも作動させるように構成されている。
なお、図中４０は、当該空気清浄機の作動状態を示すパイロットランプである。
【００４０】
以下、本実施の形態に係る空気清浄システムの作用について説明する。
ある遊技者が遊技している遊技機１１での遊技中に喫煙した場合には、上記センサー１９は、遊技者の上記灰皿１３へのタバコ等の接近を検知した場合には、検知信号を当該空気清浄機１５の制御部のみならず、上記灰皿１３を挟んで当該遊技機１１の幅方向他端部に配置されている空気清浄機１８の制御部へも検知信号を送る。
その結果、ある遊技機１１での遊技中に、遊技者が喫煙した場合には、当該遊技機１１の前面に設けられた灰皿１３の側方に配設された空気清浄機１５のみならず、右側方に隣接する遊技機１５の灰皿１３の側方に配設された空気清浄機１８も作動して空気を清浄化する。
【００４１】
この場合、制御部は上記吸引ファン３４の駆動部を作動させて吸引ファン３４を回転させることから、上記吸引ファン３４の吸引力によりタバコの煙はフィルター２１を介して吸引される。その後、タバコの煙は上記フィルター２１を通過する際に清浄化され、図２に示すように、上記空気通路２０を介して、上記空気排出口３３ａ，３３ｂ，３３ｃ，３３ｄ，３３ｅから外方へ噴出される。
【００４２】
この場合、先端部側の空気排出口３３ａから上記の清浄化された空気は、略垂直に排出され、遊技機１１の盤面に沿って上方へ流れ、後端部側の空気排出口３３ｂ，３３ｃ，３３ｄ,３３ｅに至るに従って、次第に、排出角度が小さくなるように構成されていることから、図１に示すように、上記空気排出口３３ａ，３３ｂ，３３ｃ，３３ｄ，３３ｅから排出された清浄化された空気は、当該遊技機１１の両側端部において盤面に対して直角な扇状に展張し、当該遊技機１１の両側端部におけるエアーカーテン１６，１７を形成する。
【００４３】
その結果、当該遊技機１１において遊技している遊技者が喫煙した場合であっても、例えば、灰皿１３に置かれたタバコの煙そのものを空気清浄機１５が清浄化することができるため、有害な副煙流そのものを発生させないようにすることができる。
さらに、清浄化された空気により、喫煙をしている当該遊技機１５の幅方向両端部においてエアーカーテン１６，１７が形成されることから、エアーカーテン１６，１７によりタバコの煙の、隣接する他の遊技機１４方向への流出を有効に防止することができる。
なお、空気清浄機本体２３は上記固定用アーム２４に対して回動可能に形成されていることから、例えば、テーブル１２上を掃除する必要がある場合には、上記空気清浄機本体２３を回動させることによりテーブル１２上に起立状態にし、テーブル１２上の払拭作業をすることができる。
【００４４】
なお、本実施の形態にあっては、フィルター２１が、ヤシ殻活性炭を使用した場合を例に説明したが、タバコの煙を清浄化しうる素材及び構造であればよく、上記実施の形態に限定されない。
また、本実施の形態にあっては、センサー１９として赤外線センサーを使用した場合を例に説明したが、上記実施の形態に限定されず、灰皿へのタバコの載置を感知しうるセンサーであればよく、また、タバコの煙を感知しうるセンサーであってもよい。
【００４５】
図６は本実施の形態に係る遊技機パーラーの空気清浄システムに係る第二の実施の形態を示す。
本形態に係る遊技機パーラーの空気清浄システム５０は、当該遊技機５１と隣接する遊技機５２，６６との間に空気清浄機５３を配設して、遊技機５１、５２、６６の間にエアーカーテン６７を形成するように構成されている。
そして、上記空気清浄機５３は、遊技機５１、５２、６６の間において遊技機５１、５２、６６の高さ方向に沿って設けられる柱状のスペーサ部材５４の下部に設けられている。
【００４６】
図７に示すように、上記空気清浄機５３は、上記スペーサ部材５４の裏面側に配置される空気吸引部５５と、上記スペーサ部材５４の表面部に配置される空気排出部５６とを備えている。
上記空気吸引部５５は、パーラー内の空気を吸引して上記スペーサ部材５４の表面側へ排出しうるシロッコファン５６と、上記シロッコファン５６を駆動するモータからなる駆動部（図示せず）とを有している。
【００４７】
上記空気吸引部５５は、上記スペーサ部材５４の幅寸法よりも小さな幅寸法に形成され、全体略直方体形状に形成され、上記モータ及びシロッコファン５６が装着されるフレーム部５７を有している。
上記フレーム部５７の背面部には３段に亘ってスリット５８、５８，５８が開設されており、上記スリット５８、５８、５８を介して、上記シロッコファン５６によりパーラー内の空気を吸引する。
【００４８】
一方、上記空気排出部５６は、上記空気吸引部５５のスペーサ部材５４の表面側において、上記スペーサ部材５４の幅寸法よりもやや小さい幅寸法を以って形成され、前方へ向かって緩やかに膨出するようなカーブを描く輪郭線を有すると共に上記スペーサ部材５４の幅寸法よりも小さい幅寸法を有するハウジング５９により形成されている。
図８に示すように、このハウジング５９内には、上下方向に沿って上記空気吸引部５５から供給されてくる空気の流通路６０が形成されており、上記流通路６０の前面部には上下方向に沿って細幅の空気排出孔部６５が開設されている。
【００４９】
そして、上記空気排出孔部６５内には、上記シロッコファン５６により供給される空気を上記スペーサ部材５４の高さ方向に沿って遊技機５１、５２の前面部に展張し、隣接する遊技機との間にエアーカーテンを形成しうるフィン６１、６２、６３、６４が上記流通路６０内に設けられている。
上記フィン６１，６２，６３，６４は、最下方のフィン６１から最上方のフィン６４にかけて、次第により上方へ排出しうるように大きな仰角を有して設けられている。
【００５０】
従って、本実施の形態に係る遊技機パーラーの空気清浄システムにあっては、
上記モータにより駆動されて上記シロッコファン５６が回転して遊技機パーラー内の空気を吸引し、上記空気排出孔部６５から排出された場合には、図６に示すように、排出された空気は略水平方向から上方へ略９０度に亘って上下方向に扇形に展張する。
【００５１】
その結果、当該遊技機５１と隣接する遊技機５２との間において所定高さのエアーカーテン６７が形成されることとなり、当該遊技機においては、本実施の形態に係る空気清浄機５３と、上記遊技機５１に隣接する遊技機６６との間に設置された空気清浄機５３が噴出する空気により形成されたエアーカーテン６７とにより、当該遊技機５１の上方にいたるまで島の長さ方向における空気の流通は遮断されることから、当該遊技機で遊戯する遊技者が非喫煙者であって場合であっても、上記エアーカーテン６７，６７に遮られて復煙流は当該遊技機５１の空間には流入しない。
この場合、上記フィ６１、６２、６３、６４は、高さ方向に沿って設けられ、上方のフィンに至るに従って、より上方へ空気を排出しうる角度に形成されていることから、上記フィン６１、６２、６３、６４により空気は遊技機１１、５１、５２及び６６の前面から上方へかけて連続して排出され、遊技機１１、５１、５２及び６６の前面水平方向から垂直方向にかけて連続した細幅であって上下方向に広範囲で、遊技機の高さ寸法を大きく越える高さのエアーカーテン６７を複数形成することができる。
その結果、上記複数のエアーカーテン６７により遊技場内において遊技機の左右方向におけるタバコの煙を含む復縁流を確実に遮断することができる。
また、上記フィン６１、６２、６３、６４による上方への空気の流れにより遊技場内における副煙流を含む汚れた空気を上方へ移送し、遊技者が遊技場内の汚れた空気を吸わないようにすることができる。
従って、遊技者が非喫煙者であっても復煙流に悩まされることなく遊技を楽
しむことができる。
【００５２】
なお、本実施の形態に係る遊技機パーラーの空気清浄システム５０にあっては、本実施の形態に係る空気清浄機５３を相互に隣接する遊技機５１，５２，６６の間に設置した場合を例に説明したが、上記実施の形態に限定されず、前記実施の形態に係る空気清浄機１５を隣接して設置して、相互に併用してもよい。また、本実施の形態に係る空気清浄機５３の具体的構造に関しては本実施の形態には限定されない。
【産業上の利用可能性】
【００５３】
本発明は、広く遊技機パーラーの空気清浄システムに広く適用することができる。
【図面の簡単な説明】
【００５４】
【図１】本発明に係る遊技機パーラーの空気清浄システムの一実施の形態を示す斜視概念図であって、ある遊技機において喫煙した場合における、当該遊技機の両側端部において形成されるエアーカーテンの状態を示す図である。
【図２】本発明に係る遊技機パーラーの空気清浄システムの一実施の形態を示す斜視図であって、遊技機パーラーの空気清浄システムに使用される空気清浄機を示す斜視図である。
【図３】本発明に係る遊技機パーラーの空気清浄システムの一実施の形態を示す斜視図であって、遊技機パーラーの空気清浄システムに使用される空気清浄機を示す一部分解斜視図である。
【図４】本発明に係る遊技機パーラーの空気清浄システムの一実施の形態を示す斜視図であって、遊技機パーラーの空気清浄システムに使用される空気清浄機を示す一部分解斜視図である。
【図５】本発明に係る遊技機パーラーの空気清浄システムの一実施の形態を示す斜視図であって、遊技機パーラーの空気清浄システムに使用される空気清浄機と隣接する空気清浄機との間に配設された配線を示す説明図である。
【図６】本発明に係る遊技機パーラーの空気清浄システムの他の実施の形態を示す斜視図である。
【図７】本発明に係る遊技機パーラーの空気清浄システムの他の実施の形態であって、使用される空気清浄機の構造を示す斜視図である。
【図８】本発明に係る遊技機パーラーの空気清浄システムの他の実施の形態であって、使用される空気清浄機の構造を示す図７のＡ−Ａ線断面図である。
【符号の説明】
【００５５】
１０  空気清浄システム
１１  遊技機
１２  テーブル  
１３  灰皿
１４  遊技機
１５  空気清浄機
１６  エアーカーテン
１７  エアーカーテン
１８  空気清浄機
１９  センサー
２０  空気通路
２１  フィルター
２２  上面部
２３  空気清浄機本体
２４  固定用アーム
２５  ボディ
２６  空気吸入排出部
２７  軸部
２８  センサー部
２９  開口部
３０  開口
３１  ファンプレート
３２  空気吸込口
３３  空気排出口
３４  吸引ファン
３５  一方側ハーフ
３６  他方側ハーフ
３７  フィルター収納部
３８  開口部
３９  リード線
４０  空気流出口部
４１  パイロットランプ
５０  遊技機パーラーの空気清浄システム
５１  遊技機
５２  遊技機
５３  空気清浄機
５４  スペーサ部材
５５  空気吸引部
５６  シロッコファン
５７  フレーム部材
５８  スリット
５９  ハウジング
６０  流通路
６１  フィン
６２  フィン
６３  フィン
６４  フィン
６５  空気排出孔部
６６  遊技機
６７  エアーカーテン
【図１】
2008178663.tif 000003
【図２】
2008178663.tif 000004
【図３】
2008178663.tif 000005
【図４】
2008178663.tif 000006
【図５】
2008178663.tif 000007
【図６】
2008178663.tif 000008
【図７】
2008178663.tif 000009
【図８】
2008178663.tif 000010
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
遊技機の前面下部に設けられたテーブル上に設置された灰皿の側方近傍であって上記遊技機に隣接する他の遊技機との間において、上記テーブルに空気清浄機が夫々固定される遊技機パーラーの空気清浄システムであって、当該空気清浄機がタバコの煙を吸引してフィルターを介して清浄化し、清浄化された空気を噴出させると共に、上記灰皿を挟んで当該遊技機の幅方向他端部に配置されている空気清浄機も作動して清浄化された空気を噴出することにより、当該遊技機と隣接する他の遊技機との間に清浄化された空気のエアーカーテンを形成することを特徴とする遊技機パーラーの空気清浄システム。
【請求項２】
上記空気清浄機は、タバコの煙を吸入して排出しうる空気通路と、上記空気通路の始端部に設けられタバコの煙を清浄化するフィルターと、上記空気通路の終端部に設けられ上記フィルターにより清浄化された空気を排出しうる空気排出口と、上記空気通路内に設けられた吸引ファンと、上記吸引ファンを駆動する駆動部と、上記駆動部の作動を制御する制御部と、当該遊技機における遊技者の喫煙状態を検知した場合には、上記制御部へ検知信号を送るセンサーとを有することを特徴とする請求項１記載の遊技機パーラーの空気清浄システム。
【請求項３】
上記センサーは、上記灰皿へのタバコの接近を検知して、当該
空気清浄機の制御部、及び上記灰皿を挟んで当該遊技機の幅方向他端部に配置されている空気清浄機の制御部へ検知信号を送るように構成されていることを特徴とする請求項２記載の遊技機パーラーの空気清浄システム。
【請求項４】
上記空気清浄機は、所定幅の板状に形成され、遊技者方向へ向かって次第に下降する傾斜した上面部を有する空気清浄機本体と、上記空気清浄機本体の端部に、上記空気清浄機本体に対して回動可能に設けられ、空気清浄機本体を上記テーブルに対して着脱可能に固定する固定用アームとを有し、上記空気清浄機本体は、上記テーブルの幅方向の略全域に亘って配置されていることを特徴とする請求項２又は３記載の遊技機パーラーの空気清浄システム。
【請求項５】
上記空気排出口は、上記空気清浄機本体の上記上面部において長さ方向に沿って複数配置され、遊技機盤面に沿う方向から遊技機の前方方向に至るまでの間に清浄化された空気を噴出しうるように複数個配置されていることを特徴とする請求項４記載の遊技機パーラーの空気清浄システム。
【請求項６】
上記複数の空気排出口は、遊技機の盤面に近い部位に開設されている空気排出口から上記盤面から離間した部位に開設された空気排出口になるに従って開口角度が小さくなるように形成されていることを特徴とする請求項５記載の遊技機パーラーの空気清浄システム。
【請求項７】
上記固定用アームは、弾性素材により形成されていることを特徴とする請求項４記載の遊技機パーラーの空気清浄システム。
【請求項８】
隣接する遊技機との間に空気清浄機を配設して、遊技機の間にエアーカーテンを形成する遊技機パーラーの空気清浄システムであって、上記空気清浄機は、遊技機の間において遊技機の高さ方向に沿って設けられる柱状のスペーサ部材の下部に設けられ、上記空気清浄機は、上記スペーサ部材の裏面側に配置される空気吸引部と、上記スペーサ部材の表面部に配置される空気排出部とを備え、上記空気吸引部は、パーラー内の空気を吸引して上記スペーサ部材表面側へ排出しうるファンと、上記ファンを駆動する駆動部とを有し、上記空気排出部内には、上記ファンにより供給される空気を上記スペーサ部材の高さ方向に沿って遊技機の前面部に展張し、隣接する遊技機との間にエアーカーテンを形成しうるフィンが設けられていることを特徴とする遊技機パーラーの空気清浄システム。
【請求項９】
上記空気排出部には、上下方向に沿って細幅の空気排出口が開設されると共に、上記フィンは、高さ方向に沿って複数設けられ、上方のフィンに至るに従って、より上方へ空気を排出しうる角度に形成されていることを特徴とする請求項８記載の遊技機パーラーの空気清浄システム。
【手続補正２】
【補正対象書類名】明細書
【補正対象項目名】００１９
【補正方法】変更
【補正の内容】
【００１９】
請求項８記載の発明にあっては、隣接する遊技機との間に空気清浄機を配設して、遊技機の間にエアーカーテンを形成する遊技機パーラーの空気清浄システムであって、上記空気清浄機は、遊技機の間において遊技機の高さ方向に沿って設けられる柱状のスペーサ部材の下部に設けられ、上記空気清浄機は、上記スペーサ部材の裏面側に配置される空気吸引部と、上記スペーサ部材の表面部に配置される空気排出部とを備え、上記空気吸引部は、パーラー内の空気を吸引して上記スペーサ部材表面側へ排出しうるファンと、上記ファンを駆動する駆動部とを有し、上記空気排出部内には、上記ファンにより供給される空気を上記スペーサ部材の高さ方向に沿って遊技機の前面部に展張し、隣接する遊技機との間にエアーカーテンを形成しうるフィンが設けられていることを特徴とする。
従って、請求項８記載の発明にあっては、エアーカーテンを形成する空気は、互いに隣接する遊技機の間に設けられた柱状のスペーサ部材下部から噴出する。
【手続補正３】
【補正対象書類名】明細書
【補正対象項目名】００２０
【補正方法】変更
【補正の内容】
【００２０】
また、上記フィンにより排出される空気は、上記スペーサ部材の上下方向に沿って展張されエアーカーテンを形成する。
【手続補正４】
【補正対象書類名】明細書
【補正対象項目名】００２１
【補正方法】変更
【補正の内容】
【００２１】
請求項９記載の発明にあっては、上記空気排出部には、上下方向に沿って細幅の空気排出口が開設されると共に、上記フィンは、高さ方向に沿って複数設けられ、上方のフィンに至るに従って、より上方へ空気を排出しうる角度に形成されていることを特徴とする。
従って、請求項９記載の発明にあっては、上記フィンにより排出される空気は遊技機の前面において前方から上方へかけて排出される。
【手続補正５】
【補正対象書類名】明細書
【補正対象項目名】００２２
【補正方法】変更
【補正の内容】
【００２２】
請求項１〜５記載の発明にあっては、遊技機の前面下部に設けられたテーブル上に設置された灰皿の側方近傍であって上記遊技機に隣接する他の遊技機との間において、上記テーブルに空気清浄機が夫々固定されるように構成されていることから、大掛かりな設置工事を要することなく、設備に要するコストを低減でき、低減されたコストで有効な空気清浄を行うことができる遊技機パーラーにおける空気清浄システムを提供することができる。
また、空気清浄機が作動して清浄化された空気を噴出させると共に、上記灰皿を挟んで当該遊技機の幅方向他端部に配置されている空気清浄機も同時に作動し、当該遊技機の両側部におけるエアーカーテンを形成することから、タバコの煙を当該遊技機のスペース外に出すことなく、当該遊技機のスペース内において清浄化することができる遊技機パーラーにおける空気清浄システムを提供することができる。
【手続補正６】
【補正対象書類名】明細書
【補正対象項目名】００２５
【補正方法】変更
【補正の内容】
【００２５】
請求項８記載の発明にあっては、遊技機の間に設けられた柱状のスペーサ下部に設けられた空気清浄機から空気が排出されて、遊技機間において上下方向に沿ってエアーカーテンが形成されることにより、隣接する遊技機の間において空気の流通が遮断されるため、仮に、隣接する遊技機において遊技している遊技者が喫煙者であって、当該遊技機において遊技している遊技者が非喫煙者であった場合であっても、喫煙者が吐き出すタバコの煙、置きタバコの煙及び、パーラー内に漂う副煙流は当該遊技機の空間内において遮断され、隣接する遊技機の空間には侵入することはない。
従って、非喫煙者が喫煙者の隣で遊技した場合であっても、非喫煙者が喫煙者による喫煙により迷惑をこうむることなく、快適に遊技を楽しむことができる。
また、空気清浄機は、遊技機の間において遊技機の高さ方向に沿って設けられる柱状のスペーサ部材の下部に設けられていることから、大掛かりな設置工事を要することなく、設備に要するコストを低減でき、低減されたコストで有効な空気清浄を行うことができる遊技機パーラーにおける空気清浄システムを提供することができる。
【手続補正７】
【補正対象書類名】明細書
【補正対象項目名】００２６
【補正方法】変更
【補正の内容】
【００２６】
請求項９記載の発明にあっては、上記フィンは、高さ方向に沿って複数設けられ、上方のフィンに至るに従って、より上方へ空気を排出しうる角度に形成されていることから、上記フィンにより空気は遊技機の前面から上方へかけて連続して排出され、遊技機の前面水平方向から垂直方向にかけて連続した細幅であって上下方向に広範囲で、遊技機の高さ寸法を大きく越える高さのエアーカーテンを複数形成することができる。
その結果、上記複数のエアーカーテンにより遊技場内において遊技機の左右方向におけるタバコの煙を含む副煙流を確実に遮断することができる。
また、上記フィンによる上方への空気の流れにより遊技場内における副煙流を含む汚れた空気を上方へ移送し、遊技者が遊技場内の汚れた空気を吸わないようにすることができる。
【手続補正８】
【補正対象書類名】明細書
【補正対象項目名】００３９
【補正方法】変更
【補正の内容】
【００３９】
即ち、本実施の形態に係る遊技機パーラーの空気清浄システム１０にあっては、各遊技機１１に夫々対応する空気清浄機は相互にリード線３９を介して電気的に接続されており、いずれの空気清浄機のセンサー１９が灰皿１３へのタバコ等の接近を検知した場合には、検知信号を当該空気清浄機の制御部のみならず、上記灰皿１３を介して隣接する他の空気清浄機の制御部へも送信して、同時に他の空気清浄機をも作動させるように構成されている。
なお、図中４１は、当該空気清浄機の作動状態を示すパイロットランプである。
【手続補正９】
【補正対象書類名】明細書
【補正対象項目名】００４６
【補正方法】変更
【補正の内容】
【００４６】
図７に示すように、上記空気清浄機５３は、上記スペーサ部材５４の裏面側に配置される空気吸引部５５と、上記スペーサ部材５４の表面部に配置される空気排出部６８とを備えている。
上記空気吸引部５５は、パーラー内の空気を吸引して上記スペーサ部材５４の表面側へ排出しうるシロッコファン５６と、上記シロッコファン５６を駆動するモータからなる駆動部（図示せず）とを有している。
【手続補正１０】
【補正対象書類名】明細書
【補正対象項目名】００４８
【補正方法】変更
【補正の内容】
【００４８】
一方、上記空気排出部６８は、上記空気吸引部５５のスペーサ部材５４の表面側において、上記スペーサ部材５４の幅寸法よりもやや小さい幅寸法を以って形成され、前方へ向かって緩やかに膨出するようなカーブを描く輪郭線を有すると共に上記スペーサ部材５４の幅寸法よりも小さい幅寸法を有するハウジング５９により形成されている。
図８に示すように、このハウジング５９内には、上下方向に沿って上記空気吸引部５５から供給されてくる空気の流通路６０が形成されており、上記流通路６０の前面部には上下方向に沿って細幅の空気排出口６５が開設されている。
【手続補正１１】
【補正対象書類名】明細書
【補正対象項目名】００４９
【補正方法】変更
【補正の内容】
【００４９】
そして、上記空気排出口６５内には、上記シロッコファン５６により供給される空気を上記スペーサ部材５４の高さ方向に沿って遊技機５１、５２の前面部に展張し、隣接する遊技機との間にエアーカーテンを形成しうるフィン６１、６２、６３、６４が上記流通路６０内に設けられている。
上記フィン６１，６２，６３，６４は、最下方のフィン６１から最上方のフィン６４にかけて、次第により上方へ排出しうるように大きな仰角を有して設けられている。
【手続補正１２】
【補正対象書類名】明細書
【補正対象項目名】００５０
【補正方法】変更
【補正の内容】
【００５０】
従って、本実施の形態に係る遊技機パーラーの空気清浄システムにあっては、上記モータにより駆動されて上記シロッコファン５６が回転して遊技機パーラー内の空気を吸引し、上記空気排出口６５から排出された場合には、図６に示すように、排出された空気は略水平方向から上方へ略９０度に亘って上下方向に扇形に展張する。
【手続補正１３】
【補正対象書類名】明細書
【補正対象項目名】００５１
【補正方法】変更
【補正の内容】
【００５１】
その結果、当該遊技機５１と隣接する遊技機５２との間において所定高さのエアーカーテン６７が形成されることとなり、当該遊技機においては、本実施の形態に係る空気清浄機５３と、上記遊技機５１に隣接する遊技機６６との間に設置された空気清浄機５３が噴出する空気により形成されたエアーカーテン６７とにより、当該遊技機５１の上方にいたるまで島の長さ方向における空気の流通は遮断されることから、当該遊技機で遊戯する遊技者が非喫煙者であって場合であっても、上記エアーカーテン６７，６７に遮られて復煙流は当該遊技機５１の空間には流入しない。
この場合、上記フィン６１、６２、６３、６４は、高さ方向に沿って設けられ、上方のフィンに至るに従って、より上方へ空気を排出しうる角度に形成されていることから、上記フィン６１、６２、６３、６４により空気は遊技機５１、５２及び６６の前面から上方へかけて連続して排出され、遊技機５１、５２及び６６の前面水平方向から垂直方向にかけて連続した細幅であって上下方向に広範囲で、遊技機の高さ寸法を大きく越える高さのエアーカーテン６７を複数形成することができる。
その結果、上記複数のエアーカーテン６７により遊技場内において遊技機の左右方向におけるタバコの煙を含む副煙流を確実に遮断することができる。
また、上記フィン６１、６２、６３、６４による上方への空気の流れにより遊技場内における副煙流を含む汚れた空気を上方へ移送し、遊技者が遊技場内の汚れた空気を吸わないようにすることができる。
従って、遊技者が非喫煙者であっても副煙流に悩まされることなく遊技を楽
しむことができる。
【手続補正１４】
【補正対象書類名】明細書
【補正対象項目名】００５５
【補正方法】変更
【補正の内容】
【００５５】
１０  空気清浄システム
１１  遊技機
１２  テーブル  
１３  灰皿
１４  遊技機
１５  空気清浄機
１６  エアーカーテン
１７  エアーカーテン
１８  空気清浄機
１９  センサー
２０  空気通路
２１  フィルター
２２  上面部
２３  空気清浄機本体
２４  固定用アーム
２５  ボディ
２６  空気吸入排出部
２７  軸部
２８  センサー部
２９  開口部
３０  開口
３１  ファンプレート
３２  空気吸込口
３３  空気排出口
３４  吸引ファン
３５  一方側ハーフ
３６  他方側ハーフ
３７  フィルター収納部
３８  開口部
３９  リード線
４０  空気流出孔部
４１  パイロットランプ
５０  遊技機パーラーの空気清浄システム
５１  遊技機
５２  遊技機
５３  空気清浄機
５４  スペーサ部材
５５  空気吸引部
５６  シロッコファン
５７  フレーム部材
５８  スリット
５９  ハウジング
６０  流通路
６１  フィン
６２  フィン
６３  フィン
６４  フィン
６５  空気排出口
６６  遊技機
６７  エアーカーテン
６８  空気排出部
【手続補正１５】
【補正対象書類名】図面
【補正対象項目名】図２
【補正方法】変更
【補正の内容】
【図２】
2008178663.tif 000011
【手続補正１６】
【補正対象書類名】図面
【補正対象項目名】図３
【補正方法】変更
【補正の内容】
【図３】
2008178663.tif 000012
【手続補正１７】
【補正対象書類名】図面
【補正対象項目名】図４
【補正方法】変更
【補正の内容】
【図４】
2008178663.tif 000013
【手続補正１８】
【補正対象書類名】図面
【補正対象項目名】図７
【補正方法】変更
【補正の内容】
【図７】
2008178663.tif 000014
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
遊技機の前面下部に設けられたテーブル上において、上記遊技機の幅方向一端部側に配設された灰皿に隣接して、上記遊技機の一端部側に隣接する他の遊技機側に配置され、上記遊技機に隣接する他の遊技機との間において、上記テーブルに着脱可能に固定される空気清浄機を備えた遊技機パーラーの空気清浄システムであって、
当該空気清浄機がタバコの煙を吸引してフィルターを介して清浄化し、清浄化された空気を噴出させると共に、上記灰皿を挟んで当該遊技機の幅方向他端部に配置されている空気清浄機も作動して清浄化された空気を噴出することにより、当該遊技機と隣接する他の遊技機との間に清浄化された空気のエアーカーテンを形成することを特徴とする遊技機パーラーの空気清浄システム。
【請求項２】
上記空気清浄機は、タバコの煙を吸入して排出しうる空気通路と、上記空気通路の始端部に設けられタバコの煙を清浄化するフィルターと、上記空気通路の終端部に設けられ上記フィルターにより清浄化された空気を排出しうる空気排出口と、上記空気通路内に設けられた吸引ファンと、上記吸引ファンを駆動する駆動部と、上記駆動部の作動を制御する制御部と、当該遊技機における遊技者の灰皿への手やタバコの出現を感知して喫煙状態を検知した場合には、上記制御部へ検知信号を送るセンサーとを有することを特徴とする請求項１記載の遊技機パーラーの空気清浄システム。
【請求項３】
上記センサーは、上記灰皿へのタバコの接近を検知して、当該空気清浄機の制御部、及び上記灰皿を挟んで当該遊技機の幅方向他端部に配置されている空気清浄機の制御部へ検知信号を送るように構成されていることを特徴とする請求項２記載の遊技機パーラーの空気清浄システム。
【請求項４】
上記空気清浄機は、当該遊技機と隣接する他の遊技機との間の間隔寸法よりも小さい幅寸法を有して側面略三角形状に形成され、配置される場合には上記テーブルの幅寸法全域に亘って当接する長さ寸法を有する底辺部と、上記遊技機の前面部により形成される遊技面部の下端部に当接する高さ辺部と、上記底辺部と上記高さ辺部との間に形成されると共に円弧状に形成された斜辺部とを有する空気清浄機本体と、上記斜辺部及び底辺部により形成される端部に軸部を介して回動可能に接合され、空気清浄機本体を上記テーブルに着脱可能に固定しうる固定用アームとを有することを特徴とする請求項２又は３記載の遊技機パーラーの空気清浄システム。
【請求項５】
上記空気排出口は、上記斜辺部の長さ方向に沿って複数配置され、遊技機の前面側において、遊技機の高さ方向から前方にかけて清浄化された空気を噴出しうるように複数個配置されていることを特徴とする請求項４記載の遊技機パーラーの空気清浄システム。
【請求項６】
上記複数の空気排出口は、上方から下方に至るに従って上記テーブル上面に対して空気の排出角度が小さくなるように形成されていることを特徴とする請求項５記載の遊技機パーラーの空気清浄システム。
【請求項７】
上記固定用アームは、弾性素材により形成されていることを特徴とする請求項４記載の遊技機パーラーの空気清浄システム。
【請求項８】
隣接する遊技機との間に空気清浄機を配設して、遊技機の間にエアーカーテンを形成する遊技機パーラーの空気清浄システムであって、
上記空気清浄機は、遊技機の間において遊技機の高さ方向に沿って設けられる柱状のスペーサ部材の下部に設けられ、
上記空気清浄機は、上記スペーサ部材の裏面側に配置される空気吸引部と、上記スペーサ部材の表面部に配置される空気排出部とを備え、
上記空気吸引部は、パーラー内の空気を吸引して上記スペーサ部材表面側へ排出しうるファンと、上記ファンを駆動する駆動部とを有し、
上記空気排出部内には、上記ファンにより供給される空気を上記スペーサ部材の高さ方向に沿って遊技機の前面側に噴出し、隣接する遊技機との間にエアーカーテンを形成しうるフィンが設けられていることを特徴とする遊技機パーラーの空気清浄システム。
【請求項９】
上記空気清浄機は、平面長方形状に形成され、上記スペーサ部材の幅寸法よりも小さい幅寸法を有すると共に上記スペーサ部材の長さ方向に沿って取り付けられ、上記空気排出部は、上記空気清浄機の長さ方向に沿って開設されたスリットからなる空気排出口を有し、上記フィンは上記スリットの長さ方向に沿って複数設けられ、上記スペーサ部材の一般面に対して小さな排出角度で空気を排出しうるフィンと、上記スペーサ部材の一般面に対して大きな排出角度で空気を排出しうるフィンとを有し、上記空気清浄機が上記スペーサ部材に、上記スペーサ部材の一般面に対して小さな排出角度で空気を排出しうるフィンが上方となるように設置され、遊技機の前面側において、遊技機の高さ方向から前方にかけて空気を排出しうることを特徴とする請求項８記載の遊技機パーラーの空気清浄システム。
【手続補正２】
【補正対象書類名】明細書
【補正対象項目名】全文
【補正方法】変更
【補正の内容】
【発明の詳細な説明】
【技術分野】
【０００１】
本発明は、遊技機パーラーの空気清浄システムに係り、特に、夫々の遊技機と隣接する他の遊技機との間に清浄化された空気のエアーカーテンを形成する遊技機パーラーの空気清浄システムに関する。
【背景技術】
【０００２】
従来より、パチンコ機等の遊技機のパーラー内においては、愛煙家の遊技者は遊技中に喫煙することから、嫌煙者の遊技者は愛煙家の遊技者の隣で遊技する場合には、タバコの煙を我慢しながら遊技せざるをえなかった。
【発明の開示】
【発明が解決しようとする課題】
【０００３】
従って、このような遊技機のパーラーにおける遊技中の愛煙家のタバコの煙を清浄化するための様々な技術が提案されている（特許文献１〜４参照）。
例えば、特許第２７７５０８５号に開示された発明は、遊技機パーラーに多数設けられた遊技台同士の間において、テーブル等に空気噴出し口を設けると共に、遊技台の上部に夫々空気吸引口を設け、さらに、上記複数の空気吸引口から吸い込んだ空気を誘導する導管を設け、全ての遊技機の上部に設けられた空気吸引口から吸引しうる吸引ファンを設けて、上記空気噴出し口から吹き出した空気を上記空気吸引部において吸引することにより、空気噴出し口と空気吸引口との間にエアーカーテンを形成し、空気吸引口において吸い込んだ空気を別途設けられた空気清浄機により空気を清浄化する空気清浄装置が開示されている。
【０００４】
しかしながら、このような従来の技術にあっては、遊技機パーラーの全ての遊技機のテーブル等に上記空気噴出し口を設けると共に、遊技機の上部に空気吸引口を開設し、島内部又はパーラーの天井部、もしくは天井の裏側に吸い込んだ空気を導く導管を配設し、さらに、当該パーラーに設置してある全ての遊技機の空気吸引口から吸い込む空気を吸引しうるような大型の吸引ファン及び段駆動装置が必要となる。
従って、このような空気清浄機により当該パーラー内の空気の清浄化を図ろうとした場合には、大掛かりなパーラーの改装工事及び、装置の設置工事が必要となり、設置コストが非常に大きなものとなる、という欠点が存していた。
【０００５】
また、同様に、例えば、特開平９−２９９５８９号に開示された発明にあっては、パーラーの各遊技台内方において島内に個別に空気清浄装置を設け、各遊技台の間に形成される間隙に夫々エアの噴出孔を設けて、清浄化された空気を噴出させるように構成されている。
しかしながら、この発明にあっても、上記同様に、設置には大掛かりな改装工事を要し、設置コストも嵩んでしまう、という欠点がある。
さらに、特許第２７５９６３２号に開示された発明にあっても同様の欠点を有するものである。
【０００６】
【特許文献１】特許第２７７５０８５号
【特許文献２】特開平９−２９９５８９号
【特許文献３】特許第２７５９６３２号  従って、従来より、大掛かりな設置工事を要することなく、設備に要するコストを低減でき、有効な空気清浄を行うことができる遊技機パーラーにおける空気清浄システムが要望されていた。
【０００７】
そこで本発明の技術的課題は、大掛かりな設置工事を要することなく、設備に要するコストを低減でき、低減されたコストで有効な空気清浄を行うことができる遊技機パーラーにおける空気清浄システムを提供することにある。
【課題を解決するための手段】
【０００８】
上記課題を解決するために、請求項１記載の発明にあっては、遊技機の前面下部に設けられたテーブル上において、上記遊技機の幅方向一端部側に配設された灰皿に隣接して、上記遊技機の一端部側に隣接する他の遊技機側に配置され、上記遊技機に隣接する他の遊技機との間において、上記テーブルに着脱可能に固定される空気清浄機を備えた遊技機パーラーの空気清浄システムであって、当該空気清浄機がタバコの煙を吸引してフィルターを介して清浄化し、清浄化された空気を噴出させると共に、上記灰皿を挟んで当該遊技機の幅方向他端部に配置されている空気清浄機も作動して清浄化された空気を噴出することにより、当該遊技機と隣接する他の遊技機との間に清浄化された空気のエアーカーテンを形成することを特徴とする。
【０００９】
従って、請求項１記載の発明にあっては、ある喫煙者である遊技者が遊技中に喫煙をした場合には、当該遊技機に対応して設けられたテーブル上において、上記遊技機の幅方向一端部側に配設された灰皿に隣接して、上記遊技機の一端部側に隣接する他の遊技機側に配置された空気清浄機が作動して清浄化された空気を噴出させると共に、上記灰皿を挟んで当該遊技機の幅方向他端部に配置されている空気清浄機も同時に作動し、当該遊技機の両側部におけるエアーカーテンを形成することから、タバコの煙を当該遊技機のスペース外に出すことなく、当該遊技機のスペース内において清浄化することができる。
また、遊技機の前面下部に設けられたテーブル上において、上記遊技機の幅方向一端部側に配設された灰皿に隣接して、上記遊技機の一端部側に隣接する他の遊技機側に配置され、上記遊技機に隣接する他の遊技機との間において、上記テーブルに空気清浄機を着脱可能に固定することができる。
【００１０】
また、請求項２記載の発明にあっては、上記空気清浄機は、タバコの煙を吸入して排出しうる空気通路と、上記空気通路の始端部に設けられタバコの煙を清浄化するフィルターと、上記空気通路の終端部に設けられ上記フィルターにより清浄化された空気を排出しうる空気排出口と、上記空気通路内に設けられた吸引ファンと、上記吸引ファンを駆動する駆動部と、上記駆動部の作動を制御する制御部と、当該遊技機における遊技者の灰皿への手やタバコの出現を感知して喫煙状態を検知した場合には、上記制御部へ検知信号を送るセンサーとを有することを特徴とする。
【００１１】
従って、請求項２記載の発明にあっては、当該遊技機において喫煙者が喫煙した場合には、灰皿への手やタバコの出現を感知して上記空気清浄機のセンサーが喫煙状態を感知して内蔵する吸引ファンを作動させる。上記吸引ファンによりタバコの煙は空気清浄機内に吸引されフィルターを通過することにより清浄化され、上記空気通路を介して上記空気排出口から排出される。
【００１２】
請求項３記載の発明にあっては、上記センサーは、上記灰皿へのタバコの接近を検知して、当該空気清浄機の制御部、及び上記灰皿を挟んで当該遊技機の幅方向他端部に配置されている空気清浄機の制御部へ検知信号を送るように構成されていることを特徴とする。
【００１３】
従って、請求項３記載の発明にあっては、当該遊技機の遊技者が、例えば、灰皿へタバコを置くような場合には、上記センサーがタバコの存在を検知して、
当該遊技機の幅方向一端部に配設された空気清浄機の吸引ファン、及び当該遊技機の幅方向他端部に配設された空気清浄機の吸引ファンを作動させる。
【００１４】
請求項４記載の発明にあっては、上記空気清浄機は、当該遊技機と隣接する他の遊技機との間の間隔寸法よりも小さい幅寸法を有して側面略三角形状に形成され、配置される場合には上記テーブルの幅寸法全域に亘って当接する長さ寸法を有する底辺部と、上記遊技機の前面部により形成される遊技面部の下端部に当接する高さ辺部と、上記底辺部と上記高さ辺部との間に形成されると共に円弧状に形成された斜辺部とを有する空気清浄機本体と、上記斜辺部及び底辺部により形成される端部に軸部を介して回動可能に接合され、空気清浄機本体を上記テーブルに着脱可能に固定しうる固定用アームとを有することを特徴とする。
従って、請求項４記載の発明にあっては、上記固定用アームにより適宜、遊技機の前面下部に設けられたテーブル上において、上記遊技機の幅方向一端部側に配設された灰皿に隣接して、上記遊技機の一端部側に隣接する他の遊技機側に配置され、上記遊技機に隣接する他の遊技機との間において、上記テーブルに空気清浄機を着脱可能に固定することができる。
【００１５】
また、空気清浄機本体は上記固定用アームに対し回動可能に形成されていることから、空気清浄機本体をテーブル上において上下方向に回動させることもできる。
請求項５記載の発明にあっては、上記空気排出口は、上記斜辺部の長さ方向に沿って複数配置され、遊技機の前面側において、遊技機の高さ方向から前方にかけて清浄化された空気を噴出しうるように複数個配置されていることを特徴とする。
【００１６】
従って、請求項５記載の発明にあっては、上記空気清浄機の空気排出口から排出される清浄化された空気は、当該遊技機の両側部において他の遊技機との間に、遊技機の前面側において、遊技機の高さ方向から前方にかけてエアーカーテンを形成する。
【００１７】
請求項６記載の発明にあっては、上記複数の空気排出口は、上方から下方に至るに従って上記テーブル上面に対して空気の排出角度が小さくなるように形成されていることを特徴とする。
【００１８】
従って、請求項６記載の発明にあっては、上記遊技機盤面に近い部位に開設された空気排出口は上記テーブル上面に対して空気の排出角度が大きく形成されていることから、遊技機の盤面に近接した状態で清浄化された空気が排出され、遊技機の盤面から離間した部位に至るに従って、上記テーブル上面に対して空気の排出角度が小さくなるように構成されていることから、遊技機の盤面から離間した部位に至るに従って、上記テーブル上面に対して次第に小さな排出角度を以って清浄化された空気が排出される。
請求項７記載の発明にあっては、上記固定用アームは、弾性素材により形成されていることを特徴とする。
【００１９】
請求項８記載の発明にあっては、隣接する遊技機との間に空気清浄機を配設して、遊技機の間にエアーカーテンを形成する遊技機パーラーの空気清浄システムであって、上記空気清浄機は、遊技機の間において遊技機の高さ方向に沿って設けられる柱状のスペーサ部材の下部に設けられ、上記空気清浄機は、上記スペーサ部材の裏面側に配置される空気吸引部と、上記スペーサ部材の表面部に配置される空気排出部とを備え、上記空気吸引部は、パーラー内の空気を吸引して上記スペーサ部材表面側へ排出しうるファンと、上記ファンを駆動する駆動部とを有し、上記空気排出部内には、上記ファンにより供給される空気を上記スペーサ部材の高さ方向に沿って遊技機の前面側に噴出し、隣接する遊技機との間にエアーカーテンを形成しうるフィンが設けられていることを特徴とする。
従って、請求項８記載の発明にあっては、エアーカーテンを形成する空気は、互いに隣接する遊技機の間に設けられた柱状のスペーサ部材下部から噴出する。
【００２０】
また、上記フィンにより排出される空気は、上記スペーサ部材の上下方向に沿って遊技機の前面側に噴出されエアーカーテンを形成する。
【００２１】
請求項９記載の発明にあっては，上記空気清浄機は、平面長方形状に形成され、上記スペーサ部材の幅寸法よりも小さい幅寸法を有すると共に上記スペーサ部材の長さ方向に沿って取り付けられ、上記空気排出部は、上記空気清浄機の長さ方向に沿って開設されたスリットからなる空気排出口を有し、上記フィンは上記スリットの長さ方向に沿って複数設けられ、上記スペーサ部材の一般面に対して小さな排出角度で空気を排出しうるフィンと、上記スペーサ部材の一般面に対して大きな排出角度で空気を排出しうるフィンとを有し、上記空気清浄機が上記スペーサ部材に、上記スペーサ部材の一般面に対して小さな排出角度で空気を排出しうるフィンが上方となるように設置され、遊技機の前面側において、遊技機の高さ方向から前方にかけて空気を排出しうることを特徴とする。
従って、請求項９記載の発明にあっては、上記フィンにより排出される空気は、遊技機の前面側において、遊技機の高さ方向から前方にかけて排出される。
【発明の効果】
【００２２】
請求項１〜５記載の発明にあっては、遊技機の前面下部に設けられたテーブル上において、上記遊技機の幅方向一端部側に配設された灰皿に隣接して、上記遊技機の一端部側に隣接する他の遊技機側に配置され、上記遊技機に隣接する他の遊技機との間において、上記テーブルに着脱可能に固定される空気清浄機を備えるように構成されていることから、大掛かりな設置工事を要することなく、設備に要するコストを低減でき、低減されたコストで有効な空気清浄を行うことができる遊技機パーラーにおける空気清浄システムを提供することができる。
また、空気清浄機が作動して清浄化された空気を噴出させると共に、上記灰皿を挟んで当該遊技機の幅方向他端部に配置されている空気清浄機も同時に作動し、当該遊技機の両側部におけるエアーカーテンを形成することから、タバコの煙を当該遊技機のスペース外に出すことなく、当該遊技機のスペース内において清浄化することができる遊技機パーラーにおける空気清浄システムを提供することができる。
【００２３】
また、請求項１〜５記載の発明にあっては、上記テーブルに空気清浄機本体を着脱可能に固定することができ、大規模な設置工事を必要としないことから、既に営業を行っているパーラーにおいても後付けで空気清浄システムを設置することができる。
特に、請求項３記載の発明にあっては、遊技機の前面下部に設けられたテーブル上において、上記遊技機の幅方向一端部側に配設された灰皿に隣接して、上記遊技機の一端部側に隣接する他の遊技機側に配置された空気清浄機がタバコを検知した場合には、当該空気清浄機及び、当該遊技機の灰皿を挟んで当該遊技機の幅方向端部において配設された空気清浄機が作動することから当該遊技機を包み込むエアーカーテンを形成することができる。
【００２４】
また、特に、請求項６記載の発明にあっては、上記遊技機盤面に近い部位に開設された空気排出口は上記テーブル上面に対して空気の排出角度が大きく形成されていることから、遊技機の盤面に近接した状態で清浄化された空気が排出され、遊技機の盤面から離間した部位に至るに従って、上記テーブル上面に対して空気の排出角度が小さくなるように構成されていることから、遊技機の盤面から離間した部位に至るに従って、上記テーブル上面に対して次第に小さな排出角度を以って清浄化された空気が排出されることから、喫煙している遊技者が遊技している遊技機の幅方向両端部において確実にエアーカーテンを形成し、副煙流を他の遊技機において遊技している遊技者に及ぼさせないようにすることができる。
また、請求項７記載の発明にあっては、上記固定用アームは、弾性素材により形成されていることから、遊技者の持ち物等が衝接した場合であっても、外部応力に対して柔軟に対応することができ、使用時における破損の事態を有効に回避することができる。
【００２５】
請求項８記載の発明にあっては、遊技機の間に設けられた柱状のスペーサ下部に設けられた空気清浄機から空気が排出されて、遊技機間において上下方向に沿ってエアーカーテンが形成されることにより、隣接する遊技機の間において空気の流通が遮断されるため、仮に、隣接する遊技機において遊技している遊技者が喫煙者であって、当該遊技機において遊技している遊技者が非喫煙者であった場合であっても、喫煙者が吐き出すタバコの煙、置きタバコの煙及び、パーラー内に漂う副煙流は当該遊技機の空間内において遮断され、隣接する遊技機の空間には侵入することはない。
従って、非喫煙者が喫煙者の隣で遊技した場合であっても、非喫煙者が喫煙者による喫煙により迷惑をこうむることなく、快適に遊技を楽しむことができる。
また、空気清浄機は、遊技機の間において遊技機の高さ方向に沿って設けられる柱状のスペーサ部材の下部に設けられていることから、大掛かりな設置工事を要することなく、設備に要するコストを低減でき、低減されたコストで有効な空気清浄を行うことができる遊技機パーラーにおける空気清浄システムを提供することができる。
【００２６】
請求項９記載の発明にあっては、上記フィンは上記空気排出口の長さ方向に沿って複数設けられ、上記スペーサ部材の一般面に対して小さな排出角度で空気を排出しうるフィンと、上記スペーサ部材の一般面に対して大きな排出角度で空気を排出しうるフィンとを有し、上記空気清浄機が上記スペーサ部材に、上記スペーサ部材の一般面に対して小さな排出角度で空気を排出しうるフィンが上方となるように設置され、遊技機の前面側において、遊技機の高さ方向から前方にかけて空気を排出しうることから、上記フィンにより空気は遊技機の前面側において、遊技機の高さ方向から前方にかけて連続して排出され、遊技機の前面側水平方向から垂直方向にかけて連続した細幅であって上下方向に広範囲で、遊技機の高さ寸法を大きく越える高さのエアーカーテンを複数形成することができる。
その結果、上記複数のエアーカーテンにより遊技場内において遊技機の左右方向におけるタバコの煙を含む副煙流を確実に遮断することができる。
また、上記フィンによる上方への空気の流れにより遊技場内における副煙流を含む汚れた空気を上方へ移送し、遊技者が遊技場内の汚れた空気を吸わないようにすることができる。
【発明を実施するための最良の形態】
【００２７】
本発明に係る遊技機パーラーの空気清浄システムの実施の形態を図面を参照しながら説明する。
【００２８】
図１及び図２に示すように、本実施の形態に係る遊技機パーラーの空気清浄システム１０にあっては、遊技機１１の前面下部に設けられたテーブル１２上において、上記遊技機１１の幅方向一端部側に配設された灰皿１３に隣接して、上記遊技機１１の一端部側に隣接する他の遊技機１４側に配置され、上記遊技機１１に隣接する他の遊技機１４との間において、上記テーブル１２に空気清浄機１５が着脱可能に固定されている。
即ち、上記空気清浄機１５がタバコの煙を吸引してフィルター２１を介して清浄化し、清浄化された空気を噴出させると共に、上記灰皿１３を挟んで当該遊技機１４の幅方向他端部に配置されている空気清浄機１８も作動して清浄化された空気を噴出することにより、当該遊技機１１と隣接する他の遊技機１４との間に清浄化された空気のエアーカーテン１６、１７を形成するように構成されている。
【００２９】
図２に示すように、上記空気清浄機１５，１８は、当該遊技機１１と隣接する他の遊技機１４との間の間隔寸法よりも小さい幅寸法を有して、側面略直角三角形状に形成され、配置される場合には上記テーブル１２の幅寸法全域に亘って当接する長さ寸法を有する底辺部７０と、上記遊技機の前面部により形成される遊技面部の下端部に当接する高さ辺部７１と、上記底辺部７０と上記高さ辺部７１との間に形成されると共に円弧状に形成された斜辺部２２とを有する空気清浄機本体２３と、上記斜辺部２２及び底辺部７０により形成される端部に軸部２７を介して回動可能に接合され、空気清浄機本体２３を上記テーブル１２に着脱可能に固定しうる固定用アーム２４とを有している。
【００３０】
上記空気清浄機本体２３は、所定の厚さ寸法を有し、側面直角三角形状に形成され、端には軸部２７を介して上記固定用アーム２４が設けられ、空気清浄機本体２３は上記固定用アーム２４に対して回動可能に形成されている。
上記固定用アーム２４は、略Ｌ字状に形成され、上記テーブル１２の幅方向前端部側からテーブル１２の厚さ方向に沿ってテーブル１２を挟持して、空気清浄機本体２３をテーブル１２に固定する。
また、上記固定用アーム２４は、弾性素材により形成されており、遊技者の持ち物等  が衝接した場合であっても、外部応力に対して柔軟に対応することができ、使用時における破損の事態を有効に回避することができるように構成されている。
【００３１】
図３及び図４に示すように、上記空気清浄機本体２３は、当該遊技機１１における遊技者の灰皿への手やタバコの出現を感知して喫煙状態を検知するセンサー１９と、タバコの煙を吸入して排出しうる空気通路２０と、上記空気通路２０の始端部に設けられ、タバコの煙を清浄化するフィルター２１と、上記空気通路２０の終端部に形成され、上記フィルター２１により清浄化された空気を排出しうる空気排出口３３と、上記空気通路２０内に設けられた吸引ファン３４とを有している。
【００３２】
本実施の形態にあっては、上記空気清浄機本体２３は、合成樹脂製のボディ２５と、上記ボディ２５の大径部に配設された空気吸入排出部２６と小径部に形成されたセンサー部２８とを備えている。
上記空気吸入排出部２６には、厚さ方向の内方には、厚さ寸法の小さなシロッコファンからなる吸引ファン３４及び駆動モータ（図示せず）が内蔵され、上記ボディ２５の前面側に形成された開口部２９に配設されたフィルター２１を介して空気を吸引するように構成されている。
【００３３】
上記ボディ２５を構成する一方側ハーフ３５の大径部には上記吸引ファン３４が固定され、上記吸引ファン３４の前面部には開口３０を有するファンプレート３１が固定されている。上記吸引ファン３４の上方には空気流出孔部４０が形成されていると共に、上記ハーフ３５の上端部には、他方側ハーフ３６が接合された場合に形成される空気排出口３３が、長さ方向に沿って５個開設されている。
【００３４】
図３に示すように、上記空気排出口３３は、側面略直角三角形状からなる空気清浄機本体２３の、上記底辺部７０と上記高さ辺部７１との間に形成されると共に円弧状に形成された斜辺部２２の上端部から下方へ連続して開口されている。即ち、上記複数の空気排出口３３ａ，３３ｂ，３３ｃ，３３ｄ，３３ｅは、遊技機１１の盤面に近い部位に開設されている空気排出口３３ａから上記盤面から離間した部位に開設された空気排出口３３ｅになるに従ってテーブル１２上面に対して次第に空気の排出角度が小さくなるように形成されている。
【００３５】
そして、各空気排出口３３は細長い長口として形成され、遊技機盤１１の前面側において、遊技機１１の高さ方向から前方にかけて清浄化された空気を噴出しうるように形成されている。
上記ハーフ３５の小径部の中央部には、上記センサー１９が固定されている。本実施の形態にあっては、上記センサー１９は赤外線センサーからなり、設置された場合に前方に近接して位置する灰皿への手やタバコの出現を感知し、図示しないマイコンからなる制御部へ検知信号を発しうるように構成されている。
【００３６】
図３に示すように、他方側ハーフ３５の大径部には、上記ファンプレート３１の前面部に配置される正面円形状の空気吸込口３２が形成されている。この空気吸込口３２は所定の深さ寸法を有し、内部にフィルター収納部３７が形成されている。また、上記センサー１９の前面部には開口部３８が形成されている。
上記フィルター収納部３７には、フィルター２１が着脱自在に取り付けられる。このフィルター２１は、本実施の形態にあっては、全体略円盤状に形成され、タバコの煙を清浄化しうるような素材および構造に形成されている。即ち、本実施の形態にあっては、天然ヤシ殻活性炭を混入させた極細繊維により形成されている。上記天然ヤシ殻繊維は、極小細孔によりタバコの煙の吸着力が強く、ニコチン、タール等の有害物質を有効に吸着してタバコの煙を清浄化する点で有効である。
【００３７】
なお、図示しないが、上記センサー１９は電気配線を介して制御部へ接続されており、制御部はセンサー１９からの検知信号を受信した場合には、上記駆動モータへ作動信号を送り吸引ファン３４を回転作動させる。
【００３８】
さらに、本実施の形態にあっては、上記センサー１９は、上記灰皿１３へのタバコ等の接近を検知して、当該遊技機１１の灰皿１３側方に設けられた当該空気清浄機１５の制御部、及び、上記灰皿１３を挟んで当該遊技機１１の幅方向他端部に配置されている空気清浄機１８の制御部へも検知信号を送るように構成されている。
図５に示すように、上記空気清浄機１５は隣接する他の空気清浄機１８等とリード線３９を介して電気的に連携されており、上記センサー１９からの信号は上記リード線３９を介して他の空気清浄機１８の制御部へも送信させる。
【００３９】
即ち、本実施の形態に係る遊技機パーラーの空気清浄システム１０にあっては、各遊技機１１に夫々対応する空気清浄機は相互にリード線３９を介して電気的に接続されており、いずれの空気清浄機のセンサー１９が灰皿１３へのタバコ等の接近を検知した場合には、検知信号を当該空気清浄機の制御部のみならず、上記灰皿１３を介して隣接する他の空気清浄機の制御部へも送信して、同時に他の空気清浄機をも作動させるように構成されている。
なお、図中４１は、当該空気清浄機の作動状態を示すパイロットランプである。
【００４０】
以下、本実施の形態に係る空気清浄システムの作用について説明する。
ある遊技者が遊技している遊技機１１での遊技中に喫煙した場合には、上記センサー１９は、遊技者の上記灰皿１３へのタバコ等の接近を検知した場合には、検知信号を当該空気清浄機１５の制御部のみならず、上記灰皿１３を挟んで当該遊技機１１の幅方向他端部に配置されている空気清浄機１８の制御部へも検知信号を送る。
その結果、ある遊技機１１での遊技中に、遊技者が喫煙した場合には、上記遊技機１１の幅方向一端部側に配設された灰皿１３に隣接して、上記遊技機１１の一端部側に隣接する他の遊技機１４側に配置された空気清浄機１５のみならず、右側方に隣接する他の遊技機１４の幅方向一端部側に配設された灰皿１３に隣接して、上記遊技機１１側に配置された空気清浄機１８も作動して空気を清浄化する。
【００４１】
この場合、制御部は上記吸引ファン３４の駆動部を作動させて吸引ファン３４を回転させることから、上記吸引ファン３４の吸引力によりタバコの煙はフィルター２１を介して吸引される。その後、タバコの煙は上記フィルター２１を通過する際に清浄化され、図２に示すように、上記空気通路２０を介して、上記空気排出口３３ａ，３３ｂ，３３ｃ，３３ｄ，３３ｅから外方へ噴出される。
【００４２】
この場合、上記底辺部７０と上記高さ辺部７１との間に形成されると共に円弧状に形成された斜辺部２２の上端部から下方へ連続して開口されている。即ち、上記複数の空気排出口３３ａ，３３ｂ，３３ｃ，３３ｄ，３３ｅは、遊技機１１の盤面に近い部位に開設されている空気排出口３３ａから上記盤面から離間した部位に開設された空気排出口３３ｅになるに従ってテーブル１２上面に対して次第に空気の排出角度が小さくなるように形成されている。
上端部側の空気排出口３３ａから上記の清浄化された空気は、テーブル１２上面に対して略直角に排出され、遊技機１１の盤面に沿って上方へ流れ、下端部側の空気排出口３３ｂ，３３ｃ，３３ｄ,３３ｅに至るに従って、テーブル１２上面に対して、次第に、排出角度が小さくなるように構成されていることから、図１に示すように、上記空気排出口３３ａ，３３ｂ，３３ｃ，３３ｄ，３３ｅから排出された清浄化された空気は、遊技機１１の前面側において、当該遊技機１１の両側端部において盤面に対して直角な扇状に噴出し、当該遊技機１１の両側端部におけるエアーカーテン１６，１７を形成する。
【００４３】
その結果、当該遊技機１１において遊技している遊技者が喫煙した場合であっても、例えば、灰皿１３に置かれたタバコの煙そのものを空気清浄機１５が清浄化することができるため、有害な副煙流そのものを発生させないようにすることができる。
さらに、清浄化された空気により、喫煙をしている当該遊技機１５の幅方向両端部においてエアーカーテン１６，１７が形成されることから、エアーカーテン１６，１７によりタバコの煙の、隣接する他の遊技機１４方向への流出を有効に防止することができる。
なお、空気清浄機本体２３は上記固定用アーム２４に対して回動可能に形成されていることから、例えば、テーブル１２上を掃除する必要がある場合には、上記空気清浄機本体２３を回動させることによりテーブル１２上に起立状態にし、テーブル１２上の払拭作業をすることができる。
【００４４】
なお、本実施の形態にあっては、フィルター２１が、ヤシ殻活性炭を使用した場合を例に説明したが、タバコの煙を清浄化しうる素材及び構造であればよく、上記実施の形態に限定されない。
また、本実施の形態にあっては、センサー１９として赤外線センサーを使用した場合を例に説明したが、上記実施の形態に限定されず、灰皿へのタバコの載置を感知しうるセンサーであればよく、また、タバコの煙を感知しうるセンサーであってもよい。
【００４５】
図６は本実施の形態に係る遊技機パーラーの空気清浄システムに係る第二の実施の形態を示す。
本形態に係る遊技機パーラーの空気清浄システム５０は、当該遊技機５１と隣接する遊技機５２，６６との間に空気清浄機５３を配設して、遊技機５１、５２、６６の間にエアーカーテン６７を形成するように構成されている。
そして、上記空気清浄機５３は、遊技機５１、５２、６６の間において遊技機５１、５２、６６の高さ方向に沿って設けられる柱状のスペーサ部材５４の下部に設けられている。
また、上記空気清浄機は、平面長方形状に形成され、上記スペーサ部材の幅寸法よりも小さい幅寸法を有すると共に上記スペーサ部材の長さ方向に沿って取り付けられている。
【００４６】
図７に示すように、上記空気清浄機５３は、上記スペーサ部材５４の裏面側に配置される空気吸引部５５と、上記スペーサ部材５４の表面部に配置される空気排出部６８とを備えている。
上記空気吸引部５５は、パーラー内の空気を吸引して上記スペーサ部材５４の表面側へ排出しうるシロッコファン５６と、上記シロッコファン５６を駆動するモータからなる駆動部（図示せず）とを有している。
【００４７】
上記空気吸引部５５は、上記スペーサ部材５４の幅寸法よりも小さな幅寸法に形成され、全体略直方体形状に形成され、上記モータ及びシロッコファン５６が装着されるフレーム部５７を有している。
上記フレーム部５７の背面部には３段に亘ってスリット５８、５８，５８が開設されており、上記スリット５８、５８、５８を介して、上記シロッコファン５６によりパーラー内の空気を吸引する。
【００４８】
一方、上記空気排出部６８は、上記空気吸引部５５のスペーサ部材５４の表面側において、上記スペーサ部材５４の幅寸法よりもやや小さい幅寸法を以って形成され、前方へ向かって緩やかに膨出するようなカーブを描く輪郭線を有すると共に上記スペーサ部材５４の幅寸法よりも小さい幅寸法を有するハウジング５９により形成されている。
上記空気排出部６８は、上記空気清浄機５３の長さ方向に沿って開設されたスリットからなる空気排出口６５を有している。
図８に示すように、このハウジング５９内には、上下方向に沿って上記空気吸引部５５から供給されてくる空気の流通路６０が形成されており、上記流通路６０の前面部には上下方向に沿って細幅の空気排出口６５が開設されている。
【００４９】
そして、上記空気排出口６５内には、上記シロッコファン５６により供給される空気を上記スペーサ部材５４の高さ方向に沿って遊技機５１、５２の前面部に展張し、隣接する遊技機との間にエアーカーテンを形成しうるフィン６１、６２、６３、６４が上記流通路６０内に設けられている。
上記フィン６１，６２，６３，６４は、上記空気排出口６５の長さ方向に沿って設けられ、上記スペーサ部材５４の一般面に対して小さな排出角度で空気を排出しうるフィン６１と、上記スペーサ部材５４の一般面に対して大きな排出角度で空気を排出しうるフィン６４とを有し、最下方のフィン６１から最上方のフィン６４にかけて、次第により上方へ排出しうるように大きな仰角を有して設けられている。
【００５０】
従って、本実施の形態に係る遊技機パーラーの空気清浄システムにあっては、
上記モータにより駆動されて上記シロッコファン５６が回転して遊技機パーラー内の空気を吸引し、上記空気排出口６５から排出された場合には、図６に示すように、排出された空気は略水平方向から上方へ略９０度に亘って上下方向に扇形に展張する。
【００５１】
その結果、当該遊技機５１と隣接する遊技機５２との間において所定高さのエアーカーテン６７が形成されることとなり、当該遊技機においては、本実施の形態に係る空気清浄機５３と、上記遊技機５１に隣接する遊技機６６との間に設置された空気清浄機５３が噴出する空気により形成されたエアーカーテン６７とにより、当該遊技機５１の上方にいたるまで島の長さ方向における空気の流通は遮断されることから、当該遊技機で遊戯する遊技者が非喫煙者であって場合であっても、上記エアーカーテン６７，６７に遮られて復煙流は当該遊技機５１の空間には流入しない。
この場合、上記フィン６１、６２、６３、６４は、上記空気排出口６５の長さ方向に沿って設けられ、上記スペーサ部材５４の一般面に対して小さな排出角度で空気を排出しうるフィン６１と、上記スペーサ部材５４の一般面に対して大きな排出角度で空気を排出しうるフィン６４とを有し、上記空気清浄機５３が上記スペーサ部材５４に、上記スペーサ部材５４の一般面に対して小さな排出角度で空気を排出しうるフィン６１が上方となるように設置され、遊技機５１、５２及び６６の前面側において、遊技機５１、５２及び６６の高さ方向から前方にかけて空気を排出しうる角度に形成されていることから、上記フィン６１、６２、６３、６４により空気は遊技機５１、５２及び６６の前面から上方へかけて連続して排出され、遊技機５１、５２及び６６の前面水平方向から垂直方向にかけて連続した細幅であって上下方向に広範囲で、遊技機の高さ寸法を大きく越える高さのエアーカーテン６７を複数形成することができる。
その結果、上記複数のエアーカーテン６７により遊技場内において遊技機の左右方向におけるタバコの煙を含む副煙流を確実に遮断することができる。
また、上記フィン６１、６２、６３、６４による上方への空気の流れにより遊技場内における副煙流を含む汚れた空気を上方へ移送し、遊技者が遊技場内の汚れた空気を吸わないようにすることができる。
従って、遊技者が非喫煙者であっても副煙流に悩まされることなく遊技を楽
しむことができる。
【００５２】
なお、本実施の形態に係る遊技機パーラーの空気清浄システム５０にあっては、本実施の形態に係る空気清浄機５３を相互に隣接する遊技機５１，５２，６６の間に設置した場合を例に説明したが、上記実施の形態に限定されず、前記実施の形態に係る空気清浄機１５を隣接して設置して、相互に併用してもよい。また、本実施の形態に係る空気清浄機５３の具体的構造に関しては本実施の形態には限定されない。
【産業上の利用可能性】
【００５３】
本発明は、広く遊技機パーラーの空気清浄システムに広く適用することができる。
【図面の簡単な説明】
【００５４】
【図１】本発明に係る遊技機パーラーの空気清浄システムの一実施の形態を示す斜視概念図であって、ある遊技機において喫煙した場合における、当該遊技機の両側端部において形成されるエアーカーテンの状態を示す図である。
【図２】本発明に係る遊技機パーラーの空気清浄システムの一実施の形態を示す斜視図であって、遊技機パーラーの空気清浄システムに使用される空気清浄機を示す斜視図である。
【図３】本発明に係る遊技機パーラーの空気清浄システムの一実施の形態を示す斜視図であって、遊技機パーラーの空気清浄システムに使用される空気清浄機を示す一部分解斜視図である。
【図４】本発明に係る遊技機パーラーの空気清浄システムの一実施の形態を示す斜視図であって、遊技機パーラーの空気清浄システムに使用される空気清浄機を示す一部分解斜視図である。
【図５】本発明に係る遊技機パーラーの空気清浄システムの一実施の形態を示す斜視図であって、遊技機パーラーの空気清浄システムに使用される空気清浄機と隣接する空気清浄機との間に配設された配線を示す説明図である。
【図６】本発明に係る遊技機パーラーの空気清浄システムの他の実施の形態を示す斜視図である。
【図７】本発明に係る遊技機パーラーの空気清浄システムの他の実施の形態であって、使用される空気清浄機の構造を示す斜視図である。
【図８】本発明に係る遊技機パーラーの空気清浄システムの他の実施の形態であって、使用される空気清浄機の構造を示す図７のＡ−Ａ線断面図である。
【符号の説明】
【００５５】
１０  空気清浄システム
１１  遊技機
１２  テーブル  
１３  灰皿
１４  遊技機
１５  空気清浄機
１６  エアーカーテン
１７  エアーカーテン
１８  空気清浄機
１９  センサー
２０  空気通路
２１  フィルター
２２  斜辺部
２３  空気清浄機本体
２４  固定用アーム
２５  ボディ
２６  空気吸入排出部
２７  軸部
２８  センサー部
２９  開口部
３０  開口
３１  ファンプレート
３２  空気吸込口
３３  空気排出口
３４  吸引ファン
３５  一方側ハーフ
３６  他方側ハーフ
３７  フィルター収納部
３８  開口部
３９  リード線
４０  空気流出孔部
４１  パイロットランプ
５０  遊技機パーラーの空気清浄システム
５１  遊技機
５２  遊技機
５３  空気清浄機
５４  スペーサ部材
５５  空気吸引部
５６  シロッコファン
５７  フレーム部材
５８  スリット
５９  ハウジング
６０  流通路
６１  フィン
６２  フィン
６３  フィン
６４  フィン
６５  空気排出口
６６  遊技機
６７  エアーカーテン
６８  空気排出部
７０  底辺部
７１  高さ辺部
【手続補正３】
【補正対象書類名】図面
【補正対象項目名】図１
【補正方法】変更
【補正の内容】
【図１】
2008178663.tif 000015
【手続補正４】
【補正対象書類名】図面
【補正対象項目名】図２
【補正方法】変更
【補正の内容】
【図２】
2008178663.tif 000016
【手続補正５】
【補正対象書類名】図面
【補正対象項目名】図３
【補正方法】変更
【補正の内容】
【図３】
2008178663.tif 000017
【手続補正６】
【補正対象書類名】図面
【補正対象項目名】図４
【補正方法】変更
【補正の内容】
【図４】
2008178663.tif 000018